(57)【要約】【課題】確実に省電力を図ることができる写真画像プリントシステムを提供する。【解決手段】電力供給制御部３２は視線センサ２７からの信号に基づいて、視線を検知した場合に、通常運転モードをとって表示パネル２２およびプリンタ１５へ電力を供給する。視線を検知しない場合に、省電力モードをとって、少なくとも表示パネルへの電力供給を制限する。【選択図】図２
2019155643.tif 000002
【特許請求の範囲】
【請求項１】
筐体と、
前記筐体に設けられた操作可能な表示パネルと、
前記筐体に設けられたプリンタと、
前記筐体に設けられ、視線を検知する視線センサと、
前記筐体に配置され、前記表示パネルによって入力された操作信号に基づいて前記プリンタにより写真画像印刷物を作成する操作制御部と、
前記表示パネルおよび前記プリンタへの電力供給を制御する電力供給制御部とを備え、
前記電力供給制御部は、前記視線センサからの信号に基づいて、視線を検知した場合に通常運転モードをとって、前記表示パネルおよび前記プリンタへの電力を供給し、視線を検知しない場合に省電力モードをとって少なくとも前記表示パネルへの電力供給を制限する、写真画像プリントシステム。
【請求項２】
前記電力供給制御部は、前記視線センサからの信号を所定時間以上連続して受信した後で、前記通常運転モードまたは前記省電力モードのいずれかをとる、請求項１記載の写真画像プリントシステム。
【請求項３】
前記筐体に人を検知する人感センサが設けられ、
前記電力供給制御部は、前記人感センサおよび前記視線センサからの信号に基づいて、人を検知しかつ視線を検知した場合に前記通常運転モードをとり、人を検知せずかつ視線を検知しない場合に前記省電力モードをとる、請求項１または２記載の写真画像プリントシステム。
【請求項４】
前記電力供給制御部は、前記人感センサおよび前記視線センサからの信号に基づいて、人を検知し、その後に視線を検知した場合に前記通常運転モードをとり、視線を検知せず、その後に人を検知しない場合に前記省電力モードをとる、請求項３記載の写真画像プリントシステム。
【請求項５】
前記電力供給制御部の前記省電力モードは、省電力モードＡと省電力モードＢとからなり、
前記電力供給制御部は、前記人感センサおよび前記視線センサからの信号に基づいて、前記表示パネルへの電力供給を停止する前記省電力モードＡの状態で人を検知した場合に、前記表示パネルへ一部電力供給を行う前記省電力モードＢをとり、その後に視線を検知した場合に前記通常運転モードをとり、前記通常運転モードの状態で視線を検知しない場合に前記省電力モードＢをとり、その後に人を検知しない場合に前記省電力モードＡをとる、請求項３記載の写真画像プリントシステム。
【請求項６】
前記表示パネルは第１表示パネルと第２表示パネルを有し、前記電力供給制御部は前記通常運転モードをとった際、前記第１表示パネルおよび前記第２表示パネルへの電力供給をＯＮとし、前記省電力モードをとった際、前記第１表示パネルへの電力供給をＯＮとし、前記第２表示パネルへの電力供給をＯＦＦとする、請求項１乃至５のいずれか記載の写真画像プリントシステム。
【発明の詳細な説明】
【技術分野】
【０００１】
本発明は写真画像プリントシステムに係り、とりわけ効果的に省電力を図ることができる写真画像プリントシステムに関する。
【背景技術】
【０００２】
従来より写真画像プリントシステムとして、筐体と、筐体に設けられた表示パネルと、筐体内に収納されたプリンタおよび課金システムとを備えたものが知られている。
【０００３】
使用にあたって操作者は、写真画像プリントシステムの媒体挿入口に必要な画像情報を格納したデジタルメディア、例えばＳＤ（secure digital）カード、ＣＤ−ＲＯＭ等を挿入し、表示パネル上で必要な情報を入力する。
【０００４】
その後、操作者は課金システムに接続された筐体の前面扉に設けられたコイン投入口へ必要な額のコインを投入する。操作者がコインを投入した後、プリンタが写真画像をプリントして写真画像印刷物を作成し、この写真画像印刷物は前面扉から排出される。
【０００５】
このような写真画像プリントシステムにおいて、操作者が操作するか否かにかかわらず、筐体に設けられた表示パネルおよびプリンタ等の構成部分には常時電力が供給され、電力料金が嵩んでしまう。
【０００６】
一方、写真画像プリントシステムに人感センサを設け、人が接近した場合に省電力モードから通常運転モードに切り換えて、省電力を図る技術が開発されているが、この場合、写真画像プリントシステムに通行人が接近しただけで写真画像プリントシステムが通常運転モードをとってしまうため、十分な省電力効果を実施することはむずかしい。
【先行技術文献】
【特許文献】
【０００７】
【特許文献１】特開２００５−１１１８９３号公報
【特許文献２】特開２００６−    １６９４号公報
【特許文献３】特許第６１５０５０３号公報
【発明の概要】
【発明が解決しようとする課題】
【０００８】
本発明はこのような点を考慮してなされたものであり、省電力運転を確実に実行することができる写真画像プリントシステムを提供することを目的とする。
【課題を解決するための手段】
【０００９】
本発明は、筐体と、前記筐体に設けられた操作可能な表示パネルと、前記筐体に設けられたプリンタと、前記筐体に設けられ、視線を検知する視線センサと、前記筐体に配置され、前記表示パネルによって入力された操作信号に基づいて前記プリンタにより写真画像印刷物を作成する操作制御部と、前記表示パネルおよび前記プリンタへの電力供給を制御する電力供給制御部とを備え、前記電力供給制御部は、前記視線センサからの信号に基づいて、視線を検知した場合に通常運転モードをとって、前記表示パネルおよび前記プリンタへの電力を供給し、視線を検知しない場合に省電力モードをとって少なくとも前記表示パネルへの電力供給を制限する、写真画像プリントシステムである。
【００１０】
本発明は、前記電力供給制御部は、前記視線センサからの信号を所定時間以上連続して受信した後で、前記通常運転モードまたは前記省電力モードのいずれかをとる、写真画像プリントシステムである。
【００１１】
本発明は、前記筐体に人を検知する人感センサが設けられ、前記電力供給制御部は、前記人感センサおよび前記視線センサからの信号に基づいて、人を検知しかつ視線を検知した場合に前記通常運転モードをとり、人を検知せずかつ視線を検知しない場合に前記省電力モードをとる、写真画像プリントシステムである。
【００１２】
本発明は、前記電力供給制御部は、前記人感センサおよび前記視線センサからの信号に基づいて、人を検知し、その後に視線を検知した場合に前記通常運転モードをとり、視線を検知せず、その後に人を検知しない場合に前記省電力モードをとる、写真画像プリントシステムである。
【００１３】
本発明は、前記電力供給制御部の前記省電力モードは、省電力モードＡと省電力モードＢとからなり、前記電力供給制御部は、前記人感センサおよび前記視線センサからの信号に基づいて、前記表示パネルへの電力供給を停止する前記省電力モードＡの状態で人を検知した場合に前記表示パネルへ一部電力供給を行う前記省電力モードＢをとり、その後に視線を検知した場合に前記通常運転モードをとり、前記通常運転モードの状態で視線を検知しない場合に前記省電力モードＢをとり、その後に人を検知しない場合に前記省電力モードＡをとる、写真画像プリントシステムである。
【００１４】
本発明は、前記表示パネルは第１表示パネルと第２表示パネルを有し、前記電力供給制御部は通常運転モードをとった際、前記第１表示パネルおよび前記第２表示パネルへの電力供給をＯＮとし、前記省電力モードをとった際、前記第１表示パネルへの電力供給をＯＮとし、前記第２表示パネルへの電力供給をＯＦＦとする、写真画像プリントシステムである。
【発明の効果】
【００１５】
以上のように本発明によれば、省電力運転を確実に実行することができる。
【図面の簡単な説明】
【００１６】
【図１】図１は本発明の第１の実施の形態による写真画像プリントシステムを前方側からみた概略斜視図。
【図２】図２は写真画像プリントシステムの制御機構を示すブロック図。
【図３】図３は第１の実施の形態による写真画像プリントシステムの作用を示す図。
【図４】図４は第１の実施の形態による写真画像プリントシステムの作用を示す図。
【図５】図５は変形例による写真画像プリントシステムの作用を示す図。
【図６】図６は変形例による写真画像プリントシステムの作用を示す図。
【図７】図７は第２の実施の形態による写真画像プリントシステムの作用を示す図。
【図８】図８は第２の実施の形態による写真画像プリントシステムの作用を示す図。
【図９】図９は第１の実施の形態および変形例による写真画像プリントシステムの運転パターンを示す図。
【図１０】図１０は第２の実施の形態による写真画像プリントシステムの運転パターンを示す図。
【発明を実施するための形態】
【００１７】
＜第１の実施の形態＞
以下、図面を参照して本発明による写真画像プリントシステムについて図１乃至図４により説明する。
【００１８】
図１乃至図４は写真画像プリントシステムの第１の実施の形態を示す図である。
【００１９】
ここで図１は写真画像プリントシステムを前方側からみた概略斜視図であり、図２は写真画像プリントシステムの制御機構を示すブロック図である。
【００２０】
図１乃至図４に示すように、本発明による写真画像プリントシステム１０は、天板１１ａと、一対の側方側板１１ｂ，１１ｂと、背面側板と、底板とを有する筐体１１と、筐体１１の天板１１ａ上の後方に配置され、後述する操作制御部３１と電力供給制御部３２とが内蔵されたパーソナルコンピューター（ＰＣ）２０と、筐体１１内に収納された２台のプリンタ１５，１５と、課金システム８とを備えている。
【００２１】
このうち筐体１１は上述のように天板１１ａと、一対の側方側板１１ｂ，１１ｂと、背面側板と底板とを有し、筐体１１内は、筐体１１内をプリンタ１５を収納するプリンタ収納領域６ａと、課金システム８を収納する課金システム収納領域６ｂとに区画されている。また筐体１１の前面左側には前面扉１２が設けられ、筐体１１の前面右側には、上方から下方に向かって順にコイン投入口１８ａ、お札投入口１８ｂおよびつり銭返却口１８ｃが設けられている。このうち前面扉１２はプリンタ収納領域６ｃに対応して設けられ、コイン投入口１８ａ、お札投入口１８ｂおよびつり銭返却口１８ｃは課金システム収納領域６ｂに対応して設けられている。
【００２２】
またＰＣ２０は、後述する画像情報が格納されたＳＤカード、ＣＤ−ＲＯＭ等のデジタルメディアが挿入されるデジタルメディア挿入口２１ａを有するＰＣ本体２１を有している。
【００２３】
またＰＣ本体２１の前面には、第１表示パネル２２ａが設けられ、筐体１１の天板１１ａには操作可能な第２表示パネル２２ｂが設けられ、これら第１表示パネル２２ａと第２表示パネル２２ｂとにより表示パネル２２が構成されている。
【００２４】
このうち第１表示パネル２２ａは、主として広告宣伝用の広告内容を表示する機能を有する。また第２表示パネル２２ｂは操作者が操作入力する入力機能と、操作者により挿入されるデジタルメディア内の画像情報等、あるいはガイダンス等を表示する機能をもつ。
【００２５】
またＰＣ本体２１前面には、デジタルメディア挿入口２１ａの右方に視線を検知する視線センサ２７と、人を検知する人感センサ２８が各々設けられている。このうちデジタルメディア挿入口２１ａと人感センサ２８は、ＰＣ本体２１の前面の左右方向に配置され、視線センサ２７はＰＣ本体２１の前面のいうち、デジタルメディア挿入口２１ａと人感センサ２８との間に配置されている。
【００２６】
図２に示すように写真画像プリントシステム１０のＰＣ内には画像データ読込書込手段３１Ａと画像編集合成手段３１Ｂとを有する操作制御部３１と、電力供給制御部３２とが内蔵されている。
【００２７】
このうち操作制御部３１は、デジタルメディア挿入口２１ａから挿入されるデジタルメディアからの情報と、第２表示パネル２２ｂから入力される操作信号に基づいて、プリンタ１５および課金システム８を制御する。
【００２８】
また電力供給制御部３２は、視線センサ２７と人感センサ２８からの信号に基づいて、通常運転モードをとって、第１表示パネル２２ａ、第２表示パネル２２ｂ、プリンタ１５、課金システム８および操作制御部３１に対して電力供給を実行する。あるいは電力供給制御部３２は、視線センサ２７と人感センサ２８からの信号に基づいて、省電力モードをとって少なくとも第２表示パネル２２ｂに対する電力供給を制限する。省電力モードをとった場合、電力供給制御部３２は、引き続いて、第１表示パネル２２ａ、プリンタ１５、課金システム８および操作制御部３１に対して、通常運転モードと同様に電力供給を実行する。
【００２９】
次に写真画像プリントシステム１０の制御機構の構成について、図２により説明する。図２は写真画像プリントシステム１０の制御機構を示すブロック図である。
【００３０】
図２において、操作制御部３１の画像データ読込書込手段３１Ａは、予め画像データが記録されデジタルメディア挿入口２１ａから挿入されたデジタルメディアを読み取って、画像データを取得する。また、画像データ読込書込手段３１Ａは操作制御部３１が作成した画像データをデジタルメディアに記録することもできる。
【００３１】
デジタルメディアは、例えば、ＳＤ（secure digital）カード、スマートメディア、コンパクトフラッシュ（登録商標）カード、フレキシブルディスク、ＰＣ（Personal Computer）カード、ＣＤ−ＲＯＭ（Compact Disc-Read Only Memory）等を含む。
【００３２】
画像編集合成手段３１Ｂは、一つ以上の画像データに対して、落書き、スタンプのような加工、画像データの切抜き、変倍、切り抜いた画像の他の画像への貼り付け等、合成編集等を対話的に行う対話型インタフェース手段と画像処理プログラムで構成される。加工や合成編集に扱う画像データとしては、素材データベースに存在する素材画像データ、フレーム画像データ等を用いることもできる。
【００３３】
ところで操作制御部３１に接続されたプリンタ１５，１５は、高解像度カラープリンタである。昇華型あるいはインクジェット型などの方式は問わない。
【００３４】
また操作者は表示パネル２２のうち、第２表示パネル２２ｂを通して操作制御部３１に出力すべき注文内容を必要に応じて選択する。選択項目としては、実画像データの通常の出力を行うのか、シールプリントを行うのか、ＣＤ−Ｒ等の記録メディアへの書き込みを行うのか、等の指定、さらに、実画像データの通常の出力等の場合には、複数コマ分の画像データを入力した場合、どの画像をプリントするのかの指定、プリント枚数やプリントサイズの指定等がある。なお、利用者は画像を出力する前に、一つ以上の画像データを指定して加工および合成編集することができる。
【００３５】
次にこのような構成からなる本実施の形態の作用について説明する。
【００３６】
まず操作者は図１に示す写真画像プリントシステム１０の前方に立って写真画像プリントシステム１０の操作を行う。
【００３７】
この場合、図３に示すように、電力供給制御部３２は予め省電力モードをとっていて、第１表示パネル２２ａ、プリンタ１５、課金システム８および操作制御部３１に対して電力を供給するが、第２表示パネル２２ｂに対する電力供給を停止し、第２表示パネル２２ｂが完全に暗くなっている（図９参照）。
【００３８】
そして操作者が写真画像プリントシステム１０の前方に立つことにより、視線センサ２７により操作者の視線が検知され、視線センサ２７からの信号に基づいて、電力供給制御部３２は通常運転モードをとる。このとき、第１表示パネル２２ａ、プリンタ１５、課金システム８および操作制御部３１に対して引き続いて電力を供給するとともに、第２表示パネル２２ｂに対しても電力が供給されて、第２表示パネルは明るくなる。
【００３９】
次に操作者は、第２表示パネル２２ｂの画面に対して必要な操作を行う。この間、画像情報が格納されたＳＤカード、ＣＤ−ＲＯＭ等のデジタルメディアを、ＰＣ本体２１に設けられたデジタルメディア挿入口２１ａ内に挿入するとともに、コイン投入口１８ａまたはお札投入口１８ｂから必要な料金を支払う。
【００４０】
このように操作者が第２表示パネル２２ｂに対して必要な操作を行い、デジタルメディアをデジタルメディア挿入口２１ａ内に挿入し、かつ必要な料金を支払うことにより、ＰＣ２０の操作制御部３１が作動してプリンタ１５，１５を駆動制御する。このことによりプリンタ１５，１５によりプリントされた写真画像印刷物が得られ、この写真画像印刷物は前面扉１２に設けられた排出部の下端部にある集積部内に集積される。
【００４１】
操作者は次に前面扉１２に設けられた透明な開閉扉１２ａを開くことにより、集積部内に集積された写真画像印刷物を取り出すことができる。その後、ＰＣ本体２１からレシート口を介してレシートが排出される。
【００４２】
その後に操作者が写真画像プリントシステム１０から離れる。この場合、まず操作者が筐体１１から視線を外すと、視線センサ２７が視線を検知しなくなる。電力供給制御部３２は、視線センサ２７からの信号に基づいて、視線を検知しないと判断して省電力モードをとって第２表示パネル２２ｂに対する電力の供給を停止して、第２表示パネル２２ｂを完全に暗くする。この間、第１表示パネル２２ａ、プリンタ１５、課金システム８および操作制御部３１に対しては引き続いて電力を供給する。
【００４３】
このように本実施の形態によれば、視線センサ２７からの信号に基づいて、電力供給制御部３２は通常運転モードをとって第２表示パネル２２ｂに対する電力を供給し、あるいは省電力モードをとって第２表示パネル２２ｂに対する電力供給を停止する。
【００４４】
このため通行人が写真画像プリントシステムに接近しただけで通常運転モードをとって各構成部材に電力を供給する場合に比べて、確実に省電力を図ることができる。
【００４５】
＜変形例＞
次に図５および図６により、本発明の変形例について説明する。
【００４６】
図５および図６に示す本発明の変形例は、電力供給制御部３２の作用が異なるのみであり、他の構成は図１乃至図４に示す第１の実施の形態と略同一である。
【００４７】
まず操作者は、図５および図６に示すように、写真画像プリントシステム１０の前方に立って写真画像プリントシステム１０の操作を行う。
【００４８】
この場合、図５に示すように、電力供給制御部３２は予め省電力モードをとっていて、第１表示パネル２２ａ、プリンタ１５、課金システム８および操作制御部３１に対して電力を供給するが、第２表示パネル２２ｂに対する電力供給を停止し、第２表示パネル２２ｂが完全に暗くなっている（図９参照）。
【００４９】
そして操作者が写真画像プリントシステム１０の前方に立つことにより、視線センサ２７により操作者の視線が検知され、視線センサ２７からの信号に基づいて、電力供給制御部３２は視線検知の信号を所定時間（２〜３秒間）以上連続して受信した後、通常運転モードをとる。このとき、第１表示パネル２２ａ、プリンタ１５、課金システム８および操作制御部３１に対して引き続いて電力を供給するとともに、第２表示パネル２２ｂに対しても電力が供給されて、第２表示パネルは明るくなる。
【００５０】
その後に操作者が写真画像プリントシステム１０に対して必要な操作を実行する。その後に操作者が写真画像プリントシステム１０から離れる。この場合、図６に示すように、まず操作者が筐体１１から視線を外すと、視線センサ２７が視線を検知しなくなる。電力供給制御部３２は、視線センサ２７からの信号に基づいて、視線を検知しない信号が所定時間（２〜３秒間）以上連続して続いた後、視線を検知しないと判断して省電力モードをとって第２表示パネル２２ｂに対する電力の供給を停止して、第２表示パネル２２ｂを完全に暗くする。この間、第１表示パネル２２ａ、プリンタ１５、課金システム８および操作制御部３１に対しては引き続いて電力を供給する。
【００５１】
このように本実施の形態によれば、視線センサ２７からの信号に基づいて、電力供給制御部３２は通常運転モードをとって第２表示パネル２２ｂに対する電力を供給し、あるいは省電力モードをとって第２表示パネル２２ｂに対する電力供給を停止する。
【００５２】
このため通行人が写真画像プリントシステムに接近しただけで通常運転モードをとって各構成部材に電力を供給する場合に比べて、確実に省電力を図ることができる。
【００５３】
また電力供給制御部３２は、視線センサ２７からの信号が所定時間（２〜３秒間）以上連続して続いた後に、通常運転モードまたは省電力モードをとるため、安定してかつ確実に通常運転モードおよび省電力モード間での切り換えを行うことができる。
【００５４】
＜第２の実施の形態＞
次に図７および図８により、本発明の第２の実施の形態について説明する。
【００５５】
図７および図８に示す本発明の第２の実施の形態は、電力供給制御部３２の作用が異なるのみであり、他の構成は図１乃至図４に示す第１の実施の形態と略同一である。
【００５６】
まず操作者は、写真画像プリントシステム１０の前方に立って写真画像プリントシステム１０の操作を行う。
【００５７】
この場合、図７に示すように、電力供給制御部３２は予め省電力モードＡをとっていて、第１表示パネル２２ａ、プリンタ１５、課金システム８および操作制御部３１に対して電力を供給するが、第２表示パネル２２ｂに対する電力供給を停止し、第２表示パネル２２ｂが完全に暗くなっている（図１０参照）。
【００５８】
そして操作者が写真画像プリントシステム１０の前方に立つことにより、視線センサ２７により視線が検知され、かつ人感センサ２８により人が検知され、視線センサ２７と人感センサ２８からの信号が電力供給制御部３２へ送られる。この場合、電力供給制御部３２はまず人感センサ２８からの信号に基づいて、人を検知した場合に省電力モードＢをとる。電力供給制御部３２は、この省電力モードＢをとることにより、第１表示パネル２２ａ、プリンタ１５、課金システム８および操作制御部３１に対して電力を供給するとともに、第２表示パネル２２ｂに対して部分的に電力供給を行って、第２表示パネル２２ｂを若干明るくする（完全に明るくなっていない）。
【００５９】
次に電力供給制御部３２は視線センサ２７からの信号に基づいて、視線を検知した後、通常運転モードをとる。
【００６０】
このとき電力供給制御部３２は、第１表示パネル２２ａ、プリンタ１５、課金システム８および操作制御部３１に対して引き続いて電力を供給するとともに、第２表示パネル２２ｂに対しても完全に電力供給を行って、第２表示パネル２２ｂを明るくする。
【００６１】
その後に操作者が写真画像プリントシステム１０に対して必要な操作を実行する。その後、操作者が写真画像プリントシステム１０から離れる。この場合、図８に示すように、まず操作者が筐体１１から視線を外すと、視線センサ２７が視線を検知しなくなる。電力供給制御部３２は、視線センサ２７からの信号に基づいて、視線を検知しないと判断して省電力モードＢをとり、第２表示パネル２２ｂに対して一部電力供給を行って、第２表示パネル２２ｂを部分的に暗くする。次に電力供給制御部３２は人感センサ２８からの信号に基づいて、人を検知しないと判断して、省電力モードＡをとり、第２表示パネル２２ｂに対する電力供給を停止して、第２表示パネル２２ｂを完全に暗くする。この間、第１表示パネル２２ａ、プリンタ１５、課金システム８および操作制御部３１に対しては引き続いて電力を供給する。
【００６２】
このように本実施の形態によれば、視線センサ２７からの信号に基づいて、電力供給制御部３２は通常運転モードをとって第２表示パネル２２ｂに対する電力を供給し、あるいは省電力モードＡ，Ｂをとって第２表示パネル２２ｂに対する電力供給を部分的に行ったり完全に停止する。
【００６３】
このため通行人が写真画像プリントシステムに接近しただけで通常運転モードをとって各構成部材に電力を供給する場合に比べて、確実に省電力を図ることができる。
【００６４】
また電力供給制御部３２は、視線センサ２７と人感センサ２８からの信号に基づいて、通常運転モード、省電力モードＡあるいは省電力モードＢをとって、第２表示パネル２２ｂに対する電力供給を調整するので、実情に沿ってきめ細かく省電力制御を実行することができる。
【符号の説明】
【００６５】
６ａ  プリンタ収納領域
６ｂ  課金システム収納領域
８  課金システム
１０  写真画像プリントシステム
１１  筐体
１１ａ  天板
１１ｂ  側方側板
１２  前面扉
１２ａ  開閉扉
１５  プリンタ
２０  ＰＣ
２１  ＰＣ本体
２１ａ  デジタルメディア挿入口
２２  表示パネル
２２ａ  第１表示パネル
２２ｂ  第２表示パネル
２７  視線センサ
２８  人感センサ
３１  操作制御部
３１Ａ  画像データ読込書込手段
３１Ｂ  画像編集合成手段
３２  電力供給制御部
【図１】
2019155643.tif 000003
【図２】
2019155643.tif 000004
【図３】
2019155643.tif 000005
【図４】
2019155643.tif 000006
【図５】
2019155643.tif 000007
【図６】
2019155643.tif 000008
【図７】
2019155643.tif 000009
【図８】
2019155643.tif 000010
【図９】
2019155643.tif 000011
【図１０】
2019155643.tif 000012